(57)【要約】      （修正有）【課題】文字の色抜けなどによる交換作業の回数を大幅に低減し、コスト的にも安価とする。【解決手段】筐体面に文字又は図形を含む表示を配置する消火栓装置１０などの消防用設備装置の認識表示構造であり、筐体面に施された蛍光色塗装層と、文字又は図形の部分、若しくは文字又は図形の背景部分に前記設置面の蛍光色が現れるように刳り貫いて筐体面に貼り付けられる表示シート２０−１〜２０−７とを備える。表示シート２０−１〜２０−７の前面を覆って透明フィルムシートを貼り付けても良い。また表示シートは透明フィルムシートの前面に文字や図形を印刷したものでも良い。【選択図】図１
2011015947.tif 000002
【特許請求の範囲】
【請求項１】
筐体面に文字又は図形を含む表示を配置する消防用設備装置の認識表示構造に於いて、
前記筐体面に施された蛍光色塗装層と、
文字又は図形の部分、若しくは文字又は図形の背景部分に前記設置面の蛍光色が現れるように刳り貫いて前記蛍光色塗装層内の設置面に貼り付けられる表示シートと、
を備えたことを特徴とする認識表示構造。
【請求項２】
筐体面に文字又は図形を含む表示を配置する消防用設備装置の認識表示構造に於いて、
前記筐体面に施された蛍光色塗装層と、
透明薄膜シートの表面に文字又は図形を印刷し、前記文字又は図形の背景部分に前記設置面の蛍光色が現れるように前記蛍光色塗装層内の設置面に貼り付けられる表示シートと、
を備えたことを特徴とする認識表示構造。
【請求項３】
請求項１記載の認識表示構造に於いて、更に、前記表示シートの前面を覆って薄膜透明シートを貼り付けたことを特徴とする認識表示構造。
【請求項４】
請求項１又は２記載の認識表示構造に於いて、前記蛍光塗装層は、前記設置面にウレタン系の赤色蛍光塗料層を形成し、前記赤色蛍光塗料層の上にウレタン系の透明塗料層を形成したことを特徴とする認識表示構造。
【請求項５】
請求項１又は２記載の認識表示構造に於いて、前記表示シートは、耐候性シートを用いたことを特徴とする認識表示構造。
【発明の詳細な説明】
【技術分野】
【０００１】
本発明は、火災時に扉を開いてノズル付きホース等の消防用機器を操作する文字又は図形による表示を備えた消防用設備装置の認識表示構造に関する。
【背景技術】
【０００２】
従来、高速道路や自動車専用道路などのトンネルに設置されるトンネル消火栓装置は、開放自在な消火栓扉を備えた筐体内に、ノズル付きホースとバルブ類を収納し、更に、開閉自在な消火器扉を備えた消火器収納部に例えば２本の消火器を収納している。
【０００３】
このようなトンネル消火栓装置は、トンネル内の側壁に沿って例えば５０メートル間隔で設置されており、火災時には、筐体前面の消火栓扉を開いてノズル付きのホースを引き出し、消火栓開閉レバーを開位置に操作して消火用水をノズルから放出するようにしている。
【０００４】
このような消火栓装置の消火栓扉は開口部を２分割して上下に開く構造としており、消火時に消火栓扉を開放方向に引くことで開き、ノズル付きホースを引き出して消火作業を行う。
【０００５】
消火栓装置の前面には、「消火栓」、「消火器」、「給水栓」などの文字を標記した銘板がビス止めにより取り付けられている。銘板は、白色アクリル板に標記する文字の形に溝を形成し、この溝の中に赤色塗料を入れて赤色文字を形成するにようしている。
【先行技術文献】
【特許文献】
【０００６】
【特許文献１】特開２００２−２２２４７０号公報
【発明の概要】
【発明が解決しようとする課題】
【０００７】
しかしながら、このような従来の銘板を用いた認識表示構造にあっては、銘板が紫外線に晒されるなどして、赤色の文字が数年で色抜けしてしまい、そのたびに銘板を交換する必要がある。また、アクリル板は経年変化によって湾曲する場合があり、この場合いにも銘板の交換が必要となる。
【０００８】
更に、銘板に文字や図形を現す溝を刻設して赤色塗料を入れていることから、作業に手間がかり、アクリル板の材料費を含めて高価になるという問題もある。
【０００９】
本発明は、文字の色抜けなどによる交換作業の回数を大幅に低減し、コスト的にも安価な消防用設備装置の認識表示構造を提供することを目的とする。
【課題を解決するための手段】
【００１０】
本発明は、筐体面に文字又は図形を含む表示を配置する消防用設備装置の認識表示構造に於いて、
筐体面に施された蛍光色塗装層と、
文字又は図形の部分、若しくは文字又は図形の背景部分に前記設置面の蛍光色が現れるように刳り貫いて筐体面に貼り付けられる表示シートと、
を備えたことを特徴とする。
【００１１】
また本発明の別の形態にあっては、筐体面に文字又は図形を含む表示を配置する消防用設備装置の認識表示構造に於いて、
筐体面に施された蛍光色塗装層と、
透明薄膜シートの表面に文字又は図形を印刷し、文字又は図形の背景部分に設置面の蛍光色が現れるように前記蛍光色塗装層内の設置面に貼り付けられる表示シートと、
を備えたことを特徴とする。
【００１２】
またシートの前面を覆って薄膜透明シートを貼り付ける。
【００１３】
蛍光塗装層は、筐体面にウレタン系の赤色蛍光塗料層を形成し、赤色蛍光塗料層の上にウレタン系の透明塗料層を形成する。表示シートとして耐候性シートを用いる。
【発明の効果】
【００１４】
本発明によれば、表示シートの刳り貫き部分に、筐体面の蛍光色塗装層による蛍光色が現れることで、蛍光色による文字又は図形、或いは蛍光色を背景とした文字又は図形を表示することとなり、文字又は図形を認識させるシート刳り貫き部分は筐体面の塗装色そのものであることから、紫外線などに対し充分に高い耐久性があり、経年変化による色抜けは殆ど起きず、認識表示構造の取替え作業を大幅に低減できる。従来は経年変化により筐体の色とアクリル板の文字が完全に同一に保持することができなかったが、本発明は刳り抜き構造としたことにより、表示装置の蛍光色を筐体表面の蛍光色と同一に維持することができ、この同一色の構成は、文字や図形を視覚的に従来構成よりも浮き立たせ、消火栓装置の認識率をより向上させることができる。
【００１５】
また表示シートの刳り貫きにより筐体面の蛍光色を浮き出させて文字又は図形を表示するため、表示シートは低コストであり、また表示シートの取り付けは裏面の接着層による筐体面への貼り付けであることから、取り付けや交換が極めて簡単にできる。
【００１６】
また厚みのある従来のアクリル銘板に対し本発明の表示シートは厚みがなく、筐体面から飛び出すことがないため、操作時、メンテナンス時、清掃時などに邪魔にならず、更に、飛び出しがないことでゴミや埃の付着を大幅に低減できる。
【００１７】
また表示シートとして、透明薄膜シート（透明フィルム）の表面に文字又は図形を印刷し、文字又は図形の背景部分に設置面の蛍光色が現れるように蛍光色塗装層内の設置面に表示シートを貼り付けるようにしたことで、刳り貫き文字や図形の貼り付けに比べ、印刷自体には厚みがないことから設置面に凹凸なく貼り付けることができ、また、印刷であることから文字や図形の剥離も起きない。
【図面の簡単な説明】
【００１８】
【図１】本発明による消火栓装置の実施形態を正面から示した説明図
【図２】図１について消火栓扉を外して本体内部構造を示した正面図
【図３】図１について内部構造を示した平面図
【図４】消火栓装置の筐体面に対する表示シートの貼り付けを示した側面図
【図５】図１の文字部分を刳り貫いた表示シートを取り出して示した説明図
【図６】図１の文字及び図形の背景部分を刳り貫いた表示シートを取り出して示した説明図
【図７】消火栓装置の筐体面に対する保護用の透明フィルムシートを表示シートの貼り付けを示した側面図
【図８】透明フィルムシートに文字及び図形を印刷した本発明における表示シートの他の実施形態を示した説明図
【発明を実施するための形態】
【００１９】
図１は本発明による消防用設備装置の一例として消火栓装置の実施形態を正面から示した説明図である。図１において、消火栓装置１０は筐体の前面に化粧板１４−１，１４−２を装着しており、筐体内に必要な機器及び部材を組み付けた後に、トンネル現場に搬入して架台１１上に配置している。
【００２０】
化粧板１４−１，１４−２には扉開口部１６，１７が設けられている。右側の扉開口部１６には消火栓扉１８と保守扉２２が設けられており、その内部がホース収納空間及びバルブ類収納空間となっている。
【００２１】
消火栓扉１８は、下側のヒンジ２１を中心にハンドルを手前に引いてロックを外すことで前方に開閉することができる。消火栓扉１８の上には前向きに開閉する保守扉２２が設けられており、点検時に消火栓扉１８を開いて内側のロックを外すことで開くことができる。
【００２２】
扉開口部１６の左側には通報装置扉２４が設けられ、ここに赤色表示灯２６、発信機２８及び応答ランプ３０を設けている。赤色表示灯２６は常時点灯し、消火栓装置１０の設置場所が遠方から分かるようにしている。火災時には発信機２８を押してスイッチ釦をオンすると、発信信号が監視室の火災受信機に送信されて火災警報が出され、これに伴い応答信号が火災受信機から送られ、応答ランプ３０を点灯するようにしている。
【００２３】
消火栓装置１０の左側の扉開口部１７には消火器扉３２が設けられ、その筐体内部を消火器収納空間とし、例えば２本の消火器を収納している。消火器扉３２は左側をヒンジとして前方に開くことができる。また消火器扉３２の下側には覗き窓３５が設けられ、外部から消火器の収納状態が確認できるようにしている。
【００２４】
ここで図１における消火栓装置１０の前面、即ち化粧板１４−１，１４−２、消火栓扉１８、保守扉２２、通報装置扉２４及び消火器扉３２については、斜線部で示すように赤色の蛍光色塗装が施されている。この赤色の蛍光色塗装の構造は、消火栓装置１０を目立たせるために、まずウレタン系の赤色の蛍光塗料の塗装層を形成し、その上に同じくウレタン系のクリア塗料による塗装層を形成するようにしている。
【００２５】
このように赤色の蛍光色塗装を施した消火栓装置１０の前面には、表示シート２０−１〜２０−３によって「消」「火」「栓」の文字が表示され、また表示シート２０−４によって消火栓装置１０の取扱い方法が文字及び図形により表示され、また消火栓扉１８の右下には表示シート２０−５によって「給水栓」の文字が表示され、また通報装置扉２４には「ＳＯＳ」と図形により発信機２８を操作するための表示シート２０−６が設けられ、更に消火器扉３２には「消火器」の文字を表した表示シート２０−７が設けられている。
【００２６】
これらの表示シート２０−１〜２０−７は、後の説明で明らかにするように、例えば白色の表示シートについて文字または図形の部分を刳り貫くか、あるいは逆に文字または図形の部分を残して背景部分を刳り貫いたシートを裏面の接着層により消火栓装置１０の所定の位置に貼り付けることで、本発明による認識表示構造を実現している。
【００２７】
図２は図１の実施形態について消火栓扉１８を外し、保守扉２２は上向きに開いてステー２７で支持した状態で内部構造を示した正面図である。図２において、筐体の左側にはホース収納空間３６が形成され、右側にバルブ類収納空間３８を形成している。
【００２８】
ホース収納空間３６には、フレームパイプを屈曲して水平方向で上下に配置したフレーム部分を持つバケットフレーム４０が配置され、内部にホース収納空間３６を形成している。バケットフレーム４０の中央から右側にオフセットした位置、即ち扉開口部１６の左右方向における略中央となる位置に、Ｕ字形パイプフレームを固定することで縦方向に２本のホースガイド４２が位置してホース取出口４５を仕切り形成している。更に、ホース取出口４５の下側には、前方に張出し形成された張出ホースガイド４７を設けている。
【００２９】
ホース取出口４５を仕切り形成するホースガイド４２及び張出ホースガイド４７は、ホース４４を引き出す際に内巻きしているホース４４が崩れたり、扉開口部１６に擦れてホース４４が損傷したり折れたりすることを防ぎ、更に開放している消火栓扉１８の右端又は左端にホース４４が引っかかって引き出せなくなることを防ぐ。特に、張出ホースガイド４７はホース４４を左方向に引き出す際のホースの急激な折れ曲がりを緩和して滑らかな引き出しを可能とする。
【００３０】
バケットフレーム４０及び筐体内壁で囲まれたホース収納空間３６にはホース４４が内巻きして収納されている。ここで、右側のバルブ類収納空間３８の下部にはホース接続口４６が配置されており、ホース接続口４６にホース４４の１次側を接続した後、ホース４４をホース収納空間３６に巻き込むことになるが、この場合のホース４４の巻き込みは、扉開口部１６から見て右巻きとなるようにホース４４を巻き込んでいる。
【００３１】
ホース収納空間３６の右側に配置したバルブ類収納空間３８には、ポンプ設備からの配管が接続される消火栓接続口５１からホース接続口４６に至る配管系統に、給水弁５１、消火栓弁、自動調圧弁、自動排水弁、及びメンテナンス装置５５を設けている。このうち消火栓弁に設けた消火栓弁開閉レバー５７に対応して銘板５８が設けられており、銘板５８の裏側に消火栓弁、自動調圧弁、自動排水弁が配置されている。
【００３２】
図３は、図１について内部構造を示した平面図である。図３において、消火栓装置１０は、消火栓側の第１筐体１２−１と消火器側の第２筐体１２−２に分割した構造であり、前面に化粧板１４−１，１４−２を装着しており、第１筐体１２−１と第２筐体１２−２に対し必要な機器及び部材を組付けた後に連結固定部１５においてボルトにより固定し、この状態でトンネル現場に搬入して架台１１上に設置している。
【００３３】
第１筐体１２−１のホース収納空間３６には平面から見て横Ｌ字形にバケットフレーム４０が配置され、筐体内壁との間に形成したホース収納空間３６にホース４４を右巻きにより内巻き状態で収納している。また、消火器収納空間３９には２本の消火器３７が収納されている。
【００３４】
上下２段に配置したバケットフレーム４０に図２のように一対のホースガイド４２を固定して仕切り形成したホース取出口４５の下側には、張出ホースガイド４７が設けられており、張出ホースガイド４７はその内側にホース４４の外径に略相当する幅の張出スペースを確保している。勿論、張出ホースガイド４７の張出し量は、消火栓扉１８を閉鎖したときに当らない位置となるように決めている。
【００３５】
図４は消火栓装置の筐体面に対する表示シートの貼付けを示した側面図である。図４において、消火栓装置１０の第１筐体１２−１側の前面に配置された化粧板１４−１に対し、例えば図１に示した文字「火」を表示する表示シート２０−２を、図１に示した保守扉２２の中央の所定位置に位置合せした後、裏面の接着層により矢印で示すように貼付け固定する。
【００３６】
同様に下側の消火栓扉１８に対しても、図１に示したように表示シート２０−４を位置合せし、裏面の接着層により矢印で示すように貼付け固定する。
【００３７】
図５は図１の文字部分を刳り貫いた表示シートを取り出して示した説明図である。図５は図１の「消」を表示した表示シート２０−１を取り出して示しており、図５（Ａ）の正面に示すように、表示シート２０−１は白色のシート本体６２の中に「消」の形となるように文字刳り貫き部６４を形成している。シート本体６２としては、例えばＰＶＣとして知られた耐光性の高いポリ塩化ビニールのシートを使用している。
【００３８】
このシート本体６２の厚さは例えば０．１ミリメートル程度であり、従来のアクリル板を使用した場合の５ミリメートル程度に比べ、消火栓装置の筐体面に貼り付けた場合の飛出し量はほとんど無視できる程度に小さいことが分かる。
【００３９】
図５（Ｂ）は表示シート２０−１の側面図であり、表側のシート本体６２の裏面には接着層６６が形成されている。表示シート２０−１の製造段階にあっては、裏面側の接着層６６に対しては接着を防ぐためのフィルム層が設けられており、接着時にはこのフィルム層を剥がして、接着層６６により図４に示すように筐体面にシート本体６２を貼り付ける。このような図５に示す表示シート２０−１の構造は、図１において文字部分を刳り貫いて表示している表示シート２０−２，２０−３，２０−５，２０−７についても同様である。この図５の文字部分を刳り抜いた表示シートを消火栓装置の蛍光塗装面に貼り付けると、蛍光色の文字周囲を白色のシートで囲み、さらにその周囲を文字色と同じ蛍光色で囲む二重囲み構成となることから、従来の筐体色とは関連がない文字を表示するよりも、蛍光色の文字部分が際立って映える構成となり、より一般の人が文字を注視して消火栓装置であることを認識することができる。また、文字部分の色の経年変化が従来のアクリル板よりも非常に強い。
【００４０】
図６は図１の文字及び図形の背景部分を刳り貫いた表示シートを示した説明図である。図６は図１の通報装置扉２４に設けた表示シート２０−６を取り出して示している。図６（Ａ）の正面図において、表示シート２０−６は矩形の枠シート６８、枠シート６８の内部上側に配置された「ＳＯＳ」を構成する文字シート７０，７２，７４、及び下側中央に配置された指先で釦を押している状態を示す図形シート７６で構成されている。
【００４１】
このような枠シート６８、文字シート７０，７２，７４及び図形シート７６は、図５に示したと同じ白色のシート本体６２から必要な文字または図形の形状に切り抜くことで形成されている。
【００４２】
具体的には、枠シート６８の外形を持つ矩形のシート本体を準備し、このシート本体の中について、文字シート７０，７２，７４による文字「ＳＯＳ」及び図形シート７６による図形に対する背景部分を刳り貫くようにして形成している。
【００４３】
このように文字シート７０，７２，７４及び図形シート７６の背景部分を刳り貫くと、それぞれの文字及び図形の部分がばらばらに分かれてしまう。これを防ぐため、シート本体を刳り貫く際には、前面側に弱い接着力を持つ保持シート７８を配置し、この保持シート７８に、枠シート６８、文字シート７０，７２，７４及び図形シート７６がそれぞれの位置を保持した状態で残るようにしている。
【００４４】
図６（Ｂ）は図６（Ａ）のＸ−Ｘ断面について、保持シート７８と背景部分が刳り貫かれた枠シート６８、文字シート７２、図形シート７６の関係を分離した状態で示している。
【００４５】
保持シート７８に軽く接着された背景部分が刳り貫かれた枠シート６８、文字シート７０，７２，７４及び図形シート７６の裏面側には接着層６６が形成されており、文字シート７６に軽く接着した状態で、図１に示す通報装置扉２４の中央の所定位置に位置合せして押し付けることで、接着層６６により枠シート６８、文字シート７０，７２，７４及び図形シート７６を扉面に接着し、接着後に保持シート７８を剥がすことで予定した位置に正確に表示シート２０−６を貼り付けることができる。
【００４６】
このように図６のような文字部分や図面部分をシートで残す場合は、文字の周囲を筐体色の蛍光塗装面で発色させ、さらに筐体全体の蛍光塗装面との文字周囲の蛍光塗装面を仕切るシート６８を設ける構成にすることで、文字や図形部分を際立たせる効果が発揮できて、一般の人が確実に内容を認識することができる。
【００４７】
図７は表示シートの表側に保護用の透明フィルムシートを貼り付ける本発明による消火栓装置の認識表示構造の他の実施形態を示した説明図である。図７において、消火栓装置１０の前面側に対する図１の表示シート２０−２とその下側の表示シート２０−４の貼付け状態を例に取っている。表示シート２０−２，２０−４は、図４の実施形態と同様、裏面の接着層により、表示シート２０−２は保守扉２２の所定位置、及び表示シート２０−４は消火栓扉の所定位置に、矢印で示すように貼付け固定される。
【００４８】
このように筐体面に表示シート２０−２，２０−４を貼付け固定した場合、トンネル設置状態で消火栓装置が洗浄装置のブラシにより装置表面のブラッシングが行われた場合、表示シートの周辺部や背景切抜き部分などから剥離が生ずる場合がある。これを防止するため、図７の実施形態にあっては、表示シート２０−２，２０−４を筐体表面に貼り付けた後、更にその外側に保護用の透明薄膜シートとして透明フィルムシート８０−２，８０−４を貼り付けるようにしている。
【００４９】
透明フィルムシート８０−２，８０−４のサイズは、表示シート２０−２，２０−４と同じであってもよいし、必要に応じてそれより小さいサイズであってもよいし、それより大きいサイズであってもよい。例えば図５に示す文字部分を刳り貫いた表示シート２０−１のような場合には、シート本体６２の四隅のコーナー部分が剥離し易いことから、この場合には透明フィルムシートは表示シート２０−１と同一サイズとするか、それよりわずかに大きいサイズとすればよい。
【００５０】
これに対し、図６に示すように背景部分を刳り貫いた表示シート２０−６にあっては、枠シート６８の中に分離した状態で配置されている文字シート７０，７２，７４及び図形シート７６の剥離を防ぐため、枠シート６８と同一かそれより小さい、少なくとも枠シートの内側の刳り貫き部分に対応した小さいサイズの透明フィルムシートとすることもできる。透明フィルムシート８０−２と表示シート２０−２等は予め接着されていても良い。
【００５１】
図８は透明フィルムシートに文字及び図形を印刷した本発明における表示シートの他の実施形態を示した説明図であり、図１の通報装置扉２４に設けた表示シート２０−６を取り出して示している。図７（Ａ）の正面図において、表示シート２０−６は矩形の透明フィルムシート８２の表面に、例えば白地で矩形の枠８４、「ＳＯＳ」を構成する文字８６、及び指先で釦を押している状態を示す図形８８を印刷している。
【００５２】
図８（Ｂ）は図８（Ａ）のＹ−Ｙ断面であり、透明フィルムシート８２の表面には例えば白地で枠８４、文字８６及び図形８８が印刷されており、透明フィルムシート８２の裏面には接着層９０が形成されている。
【００５３】
このように透明フィルムシートに文字、図形などを印刷した表示シートにあっては、図７に示した文字、図形などを刳り貫いて設置面に貼り付ける場合に比べ、印刷自体には厚みがないことから、印刷した文字や図形に凹凸がなく、表示シートを凹凸なく設置面に貼り付けることができる。また、設置面に対し角となるのは透明フィルムシートの四隅だけであり、刳り貫き文字や図形のように角が多くならないことから、剥がれ難いという利点が得られる。また、印刷により文字や図形が一度にシートに印刷できることから位置ずれを気にすることがないし、貼り付け作業を容易に行うことができる。
【００５４】
なお上記の実施形態は消防用設備装置として消火栓装置１０を例に取るものであったが、本発明はこれに限定されず、消防用の設備機器が収納される適宜の消防用設備装置における文字または図形を表示している認識表示構造として本発明をそのまま適用することができる。
【００５５】
また上記の実施形態は装置本体の正面を赤色の蛍光塗装として表示シートを貼り付けるようにしているが、必要に応じて適宜の蛍光塗料であってもよい。
【００５６】
また上記の実施形態は表示シートのシート本体として白色のシート本体を使用しているが、このシート本体の色も、必要に応じて筐体表面の蛍光塗料の塗装層に対し十分に区別できる他の色のシート本体としてもよい。
【００５７】
また、表示シートや透明フィルムは防汚のためのコーティング処理を行なったり、防汚用の材質を使用すると文字の蛍光度合いを維持することができる。
【００５８】
また、本発明の構成は、例えば図２の銘板５８のような筐体内部にも適用することができる。
【００５９】
また本発明はその目的と利点を損なうことのない適宜の変形を含み、更に上記の実施形態に示した数値による限定は受けない。
【符号の説明】
【００６０】
１０：消火栓装置
１２−１，１２−２：筐体
１８：消火器扉
２０−１〜２０−７：表示シート
２２：保守扉
６２：シート本体
６４：文字刳り貫き部
６６，９０：接着層
６８：枠シート
７０，７２，７４：文字シート
７６：図形シート
７８：保持シート
８０−２，８０−４：透明フィルムシート
８２：透明フィルムシート
８４：枠
８６：文字
８８：図形
【図１】
2011015947.tif 000003
【図２】
2011015947.tif 000004
【図３】
2011015947.tif 000005
【図４】
2011015947.tif 000006
【図５】
2011015947.tif 000007
【図６】
2011015947.tif 000008
【図７】
2011015947.tif 000009
【図８】
2011015947.tif 000010